【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
溶鋼容器のノズル流出口に取り付け固定されている固定プレートと、
前記固定プレートに対してスライド移動される、前記ノズル流出口を開閉するためのスライドプレートと、
前記スライドプレートが着脱可能に保持されるスライダーケースを前記ノズル流出口の開閉方向へスライド移動させるスライド装置と、
前記スライド装置による前記スライダーケースのスライド移動が通常スライド範囲内に規制されている場合に前記固定プレートと前記スライドプレートとの間に面圧を負荷し、一方、前記スライド装置による前記スライダーケースの前記通常スライド範囲を超えたスライド移動が許可されている場合に前記面圧の負荷を解除する面圧負荷機構と、
前記スライダーケースのスライド移動を前記通常スライド範囲内に規制する状態と前記スライダーケースの前記通常スライド範囲を超えたスライド移動を許可する状態とを選択的に切り替えるべく位置移動されるストッパ機構と、
を備え、
前記面圧負荷機構は、前記スライダーケースが前記スライド装置により前記通常スライド範囲を超えてスライド移動された場合に前記スライダーケースに押圧されることにより解除方向に回転するローラレバーと、前記ローラレバーにリンクを介して連結され、該ローラレバーの解除方向への回転に伴って解除方向に回転するカムと、を有し、前記カムの解除方向への回転により前記面圧の負荷を解除することを特徴とするスライディングゲート。
【請求項２】
前記ストッパ機構は、前記スライダーケースのスライド移動を前記通常スライド範囲内に規制して前記スライダーケースの前記通常スライド範囲を超えたスライド移動を禁止する第１位置と、前記スライダーケースの前記通常スライド範囲を超えたスライド移動を許可する前記第１位置とは異なる第２位置と、に位置移動されることを特徴とする請求項１記載のスライディングゲート。
【請求項３】
前記ストッパ機構は、前記第１位置と前記第２位置との間で位置移動されて前記スライダーケースに当接され得るストッパブロックと、前記ストッパブロックを前記第１位置と前記第２位置との間で位置移動させるレバーと、を有することを特徴とする請求項２記載のスライディングゲート。
【請求項４】
前記面圧負荷機構は、前記カムの回転位置が所定回転位置である場合に前記固定プレートと前記スライドプレートとの間に面圧を負荷するためのバネ力を発生すると共に、前記カムの解除方向への回転により前記バネ力の発生が解除されるスプリングを有し、前記スプリングによる前記バネ力の発生の解除により前記面圧の負荷を解除することを特徴とする請求項１乃至３の何れか一項記載のスライディングゲート。
【請求項５】
前記固定プレートを着脱可能に保持すると共に、前記スプリングを収容するスプリングボックスを回動可能に支持するマウンティングプレートと、
前記マウンティングプレートに回動可能に支持された、前記スライダーケースをスライド移動可能に保持するボトムプレートと、
前記スプリングボックスを、前記スライドプレートを前記スライダーケースから取り出し禁止となる第１の所定禁止位置と取り出し可能となる第１の所定可能位置との間で回動させる第１回動機構と、
前記ボトムプレートを、前記スライドプレートを前記スライダーケースから取り出し禁止となる第２の所定禁止位置と取り出し可能となる第２の所定可能位置との間で回動させる第２回動機構と、
を備えることを特徴とする請求項４記載のスライディングゲート。
【請求項６】
前記ボトムプレートに移動可能に支持された、前記第１回動機構による前記スプリングボックスの前記第１の所定禁止位置から前記第１の所定可能位置への回動を許可／規制するストッパ部材を備えることを特徴とする請求項５記載のスライディングゲート。
【手続補正２】
【補正対象書類名】明細書
【補正対象項目名】０００８
【補正方法】変更
【補正の内容】
【０００８】
上記した課題を解決するためになされた請求項１記載の発明は、溶鋼容器のノズル流出口に取り付け固定されている固定プレートと、前記固定プレートに対してスライド移動される、前記ノズル流出口を開閉するためのスライドプレートと、前記スライドプレートが着脱可能に保持されるスライダーケースを前記ノズル流出口の開閉方向へスライド移動させるスライド装置と、前記スライド装置による前記スライダーケースのスライド移動が通常スライド範囲内に規制されている場合に前記固定プレートと前記スライドプレートとの間に面圧を負荷し、一方、前記スライド装置による前記スライダーケースの前記通常スライド範囲を超えたスライド移動が許可されている場合に前記面圧の負荷を解除する面圧負荷機構と、前記スライダーケースのスライド移動を前記通常スライド範囲内に規制する状態と前記スライダーケースの前記通常スライド範囲を超えたスライド移動を許可する状態とを選択的に切り替えるべく位置移動されるストッパ機構と、を備え、前記面圧負荷機構は、前記スライダーケースが前記スライド装置により前記通常スライド範囲を超えてスライド移動された場合に前記スライダーケースに押圧されることにより解除方向に回転するローラレバーと、前記ローラレバーにリンクを介して連結され、該ローラレバーの解除方向への回転に伴って解除方向に回転するカムと、を有し、前記カムの解除方向への回転により前記面圧の負荷を解除することを特徴とするスライディングゲートである。
【手続補正３】
【補正対象書類名】明細書
【補正対象項目名】０００９
【補正方法】変更
【補正の内容】
【０００９】
この構成によれば、ストッパ機構の位置移動によりスライド装置によるスライダーケースのスライド移動が通常スライド範囲内に規制されているときは、固定プレートとスライドプレートとの間に面圧が負荷される。一方、ストッパ機構の位置移動によりスライド装置によるスライダーケースの通常スライド範囲を超えたスライド移動が許可されているときは、固定プレートとスライドプレートとの間の面圧負荷が解除される。具体的には、ローラレバーが通常スライド範囲を超えてスライド移動されたスライダーケースに押圧されて解除方向に回転して、カムが解除方向に回転することで、固定プレートとスライドプレートとの間の面圧の負荷を解除することができる。このため、ノズル流出口の開閉と面圧負荷の解除とを同じスライド装置によるスライド移動により簡素な構成で実現することができる。また、面圧負荷の解除がノズル流出口の開閉制御中に行われるのを確実に回避することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
請求項４記載の発明は、請求項１乃至３の何れか一項記載のスライディングゲートにおいて、前記面圧負荷機構は、前記カムの回転位置が所定回転位置である場合に前記固定プレートと前記スライドプレートとの間に面圧を負荷するためのバネ力を発生すると共に、前記カムの解除方向への回転により前記バネ力の発生が解除されるスプリングを有し、前記スプリングによる前記バネ力の発生の解除により前記面圧の負荷を解除するスライディングゲートである。
【手続補正７】
【補正対象書類名】明細書
【補正対象項目名】００１８
【補正方法】変更
【補正の内容】
【００１８】
請求項５記載の発明は、請求項４記載のスライディングゲートにおいて、前記固定プレートを着脱可能に保持すると共に、前記スプリングを収容するスプリングボックスを回動可能に支持するマウンティングプレートと、前記マウンティングプレートに回動可能に支持された、前記スライダーケースをスライド移動可能に保持するボトムプレートと、前記スプリングボックスを、前記スライドプレートを前記スライダーケースから取り出し禁止となる第１の所定禁止位置と取り出し可能となる第１の所定可能位置との間で回動させる第１回動機構と、前記ボトムプレートを、前記スライドプレートを前記スライダーケースから取り出し禁止となる第２の所定禁止位置と取り出し可能となる第２の所定可能位置との間で回動させる第２回動機構と、を備えるスライディングゲートである。
【手続補正８】
【補正対象書類名】明細書
【補正対象項目名】００２０
【補正方法】変更
【補正の内容】
【００２０】
また、請求項６記載の発明は、請求項５記載のスライディングゲートにおいて、前記ボトムプレートに移動可能に支持された、前記第１回動機構による前記スプリングボックスの前記第１の所定禁止位置から前記第１の所定可能位置への回動を許可／規制するストッパ部材を備えるスライディングゲートである。